(57)【要約】【課題】  システムの構成機器数を抑制しつつ、通信エリアを確保できる無線タグシステムを提供する。【解決手段】  送信部３２は、制御部３０からの制御指令に応じて無線周波数の電気信号を生成する。電気信号は、電気光変換部３６で光アナログ信号に変換されて合波分波部４２で分配され、光ファイバ６．１を伝搬してアンテナ部８０．１へ到達する。そして、光電気変換部２２で無線信号に変換され、アンテナ素子２０を介して放射される。通信エリア内に存在する無線タグ１０は、自己の情報に応じた無線信号を送信する。アンテナ素子２０で受信された無線信号は、電気光変換部２４で光アナログ信号に変換され、光ファイバ６．１を伝搬して無線部１０２へ到達する。さらに、光電気変換部３８で無線周波数の電気信号に変換され、受信部３４でデータ信号に復調されて、制御部３０へ出力される。【選択図】        図１
2006115041.tif 000002
【特許請求の範囲】
【請求項１】
通信エリア内の無線タグに対して無線信号の送受信を行う複数のアンテナ部と、
前記複数のアンテナ部を介して前記無線タグに対してデータ読出しおよび／またはデータ書込みを行う無線部と、
前記複数のアンテナ部と前記無線部とを接続する複数の光ファイバとを備え、
前記無線部は、
前記無線タグへ送信するデジタル信号を光アナログ信号に変換し、その変換した光アナログ信号を前記複数の光ファイバを介して前記複数のアンテナ部へ送信し、
前記複数の光ファイバを介して前記複数のアンテナ部から受けた光アナログ信号をデジタル信号に変換し、
前記複数のアンテナ部の各々は、
前記光ファイバを介して前記無線部から受けた光アナログ信号を無線信号に変換して前記無線タグへ送信し、
前記無線タグから受けた無線信号を光アナログ信号に変換し、その変換した光アナログ信号を前記光ファイバを介して前記無線部へ送信する、無線タグシステム。
【請求項２】
前記無線部は、
前記無線タグへ送信するデジタル信号を光アナログ信号に変換し、その変換した光アナログ信号を分配して前記複数のアンテナ部へ送信し、
前記複数のアンテナ部から受けた複数の光アナログ信号を結合してデジタル信号に変換する、請求項１に記載の無線タグシステム。
【請求項３】
前記無線部は、
前記複数のアンテナ部の中から、予め定められた順序に従いアンテナ部を順次選択し、
選択したアンテナ部の通信エリア内の前記無線タグに対してデータ読出しおよび／またはデータ書込みを行う、請求項１に記載の無線タグシステム。
【請求項４】
通信エリア内の複数種類の無線タグに対して無線信号の送受信を行うアンテナ部と、
前記アンテナ部を介して前記複数種類の無線タグに対してデータ読出しおよび／またはデータ書込みを行う無線部と、
前記アンテナ部と前記無線部とを接続する光ファイバとを備え、
前記無線部は、
前記複数種類の無線タグへ送信する複数のデジタル信号を光アナログ信号に変換し、その変換した光アナログ信号を前記光ファイバを介して前記アンテナ部へ送信し、
前記光ファイバを介して前記アンテナ部から受けた光アナログ信号を複数のデジタル信号に変換し、
前記アンテナ部は、
前記光ファイバを介して前記無線部から受けた光アナログ信号を無線信号に変換して前記複数種類の無線タグへ送信し、
前記複数種類の無線タグから受けた無線信号を光アナログ信号に変換し、その変換した光アナログ信号を前記光ファイバを介して前記無線部へ送信する、無線タグシステム。
【請求項５】
前記無線部は、前記複数のデジタル信号を周波数分割多重して光アナログ信号に変換し、
前記アンテナ部から受けた光アナログ信号を周波数帯域別に複数のデジタル信号に変換する、請求項４に記載の無線タグシステム。
【請求項６】
前記無線部は、
前記複数種類の無線タグの中から、予め定められた順序に従い無線タグを順次選択し、
選択した無線タグへ送信するデジタル信号を光アナログ信号に変換して前記アンテナ部へ送信する、請求項４に記載の無線タグシステム。
【請求項７】
前記無線部は、複数の前記アンテナ部と接続される、請求項４〜６のいずれか１項に記載の無線タグシステム。
【請求項８】
前記アンテナ部を介して移動端末とデータの送受信を行う無線中継部と、
前記無線中継部と接続され、データ伝送が行われるネットワークと、
予め定められた順序に従い、前記無線部および前記無線中継部のいずれかへ送信許可を与える切換部とをさらに備え、
前記無線部は、
前記切換部が前記無線部へ送信許可を与える場合に、前記無線タグへ送信するデジタル信号を光アナログ信号に変換して前記アンテナ部へ送信し、
前記切換部が前記無線中継部へ送信許可を与える場合に、前記無線中継部から受けた前記移動端末へ送信する信号を光アナログ信号に変換して前記アンテナ部へ送信する、請求項１〜７のいずれか１項に記載の無線タグシステム。
【発明の詳細な説明】
【技術分野】
【０００１】
この発明は無線タグシステムに関し、特に無線周波数のアナログ信号を光ファイバを介して伝送する無線タグシステムに関するものである。
【背景技術】
【０００２】
無線タグは、外部から無線信号を受けて内部に記憶されている情報を応答する情報記憶装置である。無線タグの大きな特徴は、非接触で情報を読出せることである。
【０００３】
また、無線タグの中には、外部から受けた無線信号から電力を得るため、内部電源を必要としないものも存在する。そのため、小型の情報記憶装置を実現できる。
【０００４】
近年の技術革新により、無線タグの小型化および記憶容量の増大化が進み、さまざまな分野で無線タグが使用されている。特に、物流分野や流通分野での使用はめざましい。
【０００５】
さらに、使用周波数帯域の拡大ともあいまって、今後も無線タグの使用範囲は大きく広がることが期待されている。
【０００６】
ところで、このような無線タグの情報を読出すための装置が読取器であり、無線タグに新たに情報を書込むための装置が書込器である。読取器および書込器は、いずれも同様の構成をとるため、一般的には読取器および書込器が一体となった読取／書込器が使用される。
【０００７】
以下では、読取器、書込器および読取／書込器を含む概念としてリーダライタと称す。
【０００８】
図８は、従来の無線タグシステム６００の一般的な配置構成を示す図である。
【０００９】
図８を参照して、従来の無線タグシステム６００では、制御部３０に対して複数のリーダライタ８２が接続される。
【００１０】
無線タグシステムが機能するためには、さまざまな場所で無線タグの情報を読出し、無線タグが付された商品などの追跡を行う必要がある。しかし、リーダライタ８２の通信エリアは、数１０ｃｍから数ｍ程度であるため、十分な通信エリアを確保できるように、多くのリーダライタ８２が配置される。
【００１１】
特許文献１には、搬送経路に複数のリーダライタが配置され、各々のリーダライタが、搬送物に付されている無線タグから読出した情報を情報交信装置へ出力し、情報交信装置が、受信した情報に応じて搬送制御を行う搬送システムが開示されている。
【００１２】
特許文献２には、無線タグを備えるルームキーを部屋および各施設に配置されたリーダライタに近づけるだけでサービスが受けられるホテル来客サービスシステムが開示されている。
【特許文献１】特開２０００−２５５７１６号公報
【特許文献２】特開２００３−１３２４３５号公報
【発明の開示】
【発明が解決しようとする課題】
【００１３】
しかしながら、上述のような無線タグシステムにおいては、通信エリアの数だけリーダライタが必要であり、大規模な無線タグシステムを構築する場合には、コスト的に不利である。
【００１４】
また、無線タグの新たな規格に対応する場合などには、すべてのリーダライタを更新または改造する必要がある。そのため、システム改善を頻繁に行うことは困難である。
【００１５】
そこで、この発明は、かかる問題を解決するためになされたものであり、その目的は、システムの構成機器数を抑制しつつ、通信エリアを確保できる無線タグシステムを提供することである。
【課題を解決するための手段】
【００１６】
この発明によれば、通信エリア内の無線タグに対して無線信号の送受信を行う複数のアンテナ部と、複数のアンテナ部を介して無線タグに対してデータ読出しおよび／またはデータ書込みを行う無線部と、複数のアンテナ部と無線部とを接続する複数の光ファイバとを備える無線タグシステムである。無線部は、無線タグへ送信するデジタル信号を光アナログ信号に変換し、その変換した光アナログ信号を複数の光ファイバを介して複数のアンテナ部へ送信し、複数の光ファイバを介して複数のアンテナ部から受けた光アナログ信号をデジタル信号に変換する。複数のアンテナ部の各々は、光ファイバを介して無線部から受けた光アナログ信号を無線信号に変換して無線タグへ送信し、無線タグから受けた無線信号を光アナログ信号に変換し、その変換した光アナログ信号を光ファイバを介して無線部へ送信する。
【００１７】
好ましくは、無線部は、無線タグへ送信するデジタル信号を光アナログ信号に変換し、その変換した光アナログ信号を分配して複数のアンテナ部へ送信し、複数のアンテナ部から受けた複数の光アナログ信号を結合してデジタル信号に変換する。
【００１８】
好ましくは、無線部は、複数のアンテナ部の中から、予め定められた順序に従いアンテナ部を順次選択し、選択したアンテナ部の通信エリア内の無線タグに対してデータ読出しおよび／またはデータ書込みを行う。
【００１９】
また、この発明によれば、通信エリア内の複数種類の無線タグに対して無線信号の送受信を行うアンテナ部と、アンテナ部を介して複数種類の無線タグに対してデータ読出しおよび／またはデータ書込みを行う無線部と、アンテナ部と無線部とを接続する光ファイバとを備える無線タグシステムである。無線部は、複数種類の無線タグへ送信する複数のデジタル信号を光アナログ信号に変換し、その変換した光アナログ信号を光ファイバを介してアンテナ部へ送信し、光ファイバを介してアンテナ部から受けた光アナログ信号を複数のデジタル信号に変換する。アンテナ部は、光ファイバを介して無線部から受けた光アナログ信号を無線信号に変換して複数種類の無線タグへ送信し、複数種類の無線タグから受けた無線信号を光アナログ信号に変換し、その変換した光アナログ信号を光ファイバを介して無線部へ送信する。
【００２０】
好ましくは、無線部は、複数のデジタル信号を周波数分割多重して光アナログ信号に変換し、アンテナ部から受けた光アナログ信号を周波数帯域別に複数のデジタル信号に変換する。
【００２１】
好ましくは、無線部は、複数種類の無線タグの中から、予め定められた順序に従い無線タグを順次選択し、選択した無線タグへ送信するデジタル信号を光アナログ信号に変換してアンテナ部へ送信する。
【００２２】
好ましくは、無線部は、複数のアンテナ部と接続される。
【００２３】
好ましくは、アンテナ部を介して移動端末とデータの送受信を行う無線中継部と、無線中継部と接続され、データ伝送が行われるネットワークと、予め定められた順序に従い、無線部および無線中継部のいずれかへ送信許可を与える切換部とをさらに備え、無線部は、切換部が無線部へ送信許可を与える場合に、無線タグへ送信するデジタル信号を光アナログ信号に変換してアンテナ部へ送信し、切換部が無線中継部へ送信許可を与える場合に、無線中継部から受けた移動端末へ送信する信号を光アナログ信号に変換してアンテナ部へ送信する。
【発明の効果】
【００２４】
この発明によれば、１つの無線部に対して複数のアンテナ部が接続されるため、１つの無線部で複数のアンテナ部の通信エリア内に存在する無線タグに対してデータ読出しおよび／またはデータ書込みを行うことができる。よって、１つの無線部に対して１つのアンテナ部が接続される場合に比較して、同一の通信エリアを確保するための無線部の数を抑制できる。したがって、システムの構成機器数を抑制しつつ、通信エリアを確保する無線タグシステムを実現できる。
【００２５】
また、この発明によれば、１つのアンテナ部を共用して複数種類の無線タグに対してデータ読出しおよび／またはデータ書込みを行うことができる。よって、無線タグの種類毎にアンテナ部が配置される場合に比較して、同一の通信エリアを確保するためのアンテナ部の数を抑制できる。したがって、システムの構成機器数を抑制しつつ、通信エリアを確保する無線タグシステムを実現できる。
【発明を実施するための最良の形態】
【００２６】
この発明の実施の形態について、図面を参照しながら詳細に説明する。なお、図中の同一または相当部分については、同一符号を付してその説明は繰返さない。
【００２７】
［実施の形態１］
図１は、実施の形態１に従う無線タグシステム１００の概略構成図である。
【００２８】
無線タグシステム１００は、光ファイバ６．１，６．２，・・・，６．ｎと、無線部１０２と、アンテナ部８０．１，８０．２，・・・，８０．ｎとからなる。
【００２９】
光ファイバ６．１，６．２，・・・，６．ｎは、無線部１０２とアンテナ部８０．１，８０．２，・・・，８０．ｎとを接続する。
【００３０】
無線部１０２は、無線タグ１０に対してデータ読出しおよびデータ書込みを行う制御指令に応じた光アナログ信号を生成して、アンテナ部８０．１，８０．２，・・・，８０．ｎへ送信し、アンテナ部８０．１，８０．２，・・・，８０．ｎから光アナログ信号を受けてデータ信号を取得する。
【００３１】
アンテナ部８０．１，８０．２，・・・，８０．ｎは、無線部１０２から光アナログ信号を受けて、通信エリア内に無線信号を放射し、通信エリア内の無線タグ１０から受けた無線信号を光アナログ信号に変換して無線部１０２へ送信する。
【００３２】
無線部１０２は、制御部３０と、送信部３２と、電気光変換部（Ｅ／Ｏ）３６と、光結合部４０と、光電気変換部（Ｏ／Ｅ）３８と、受信部３４と、合波分波部４２とからなる。
【００３３】
制御部３０は、通信エリア内の無線タグ１０に対してデータ読出しおよびデータ書込みを制御するための制御指令（デジタル信号）を送信部３２へ与え、受信部３４から通信エリア内の無線タグ１０が応答したデータ信号（デジタル信号）を取得する。
【００３４】
送信部３２は、制御部３０から受けた制御指令に応じて変調した無線周波数の電気信号を生成して、電気光変換部３６へ出力する。
【００３５】
電気光変換部３６は、送信部３２から受けた無線周波数の電気信号に応じて光強度変調した光アナログ信号を生成して、光結合部４０へ出力する。
【００３６】
光結合部４０は、電気光変換部３６から受けた光アナログ信号を合波分波部４２へ導き、合波分波部４２から受けた光アナログ信号を光電気変換部３８へ導く。
【００３７】
光電気変換部３８は、光結合部４０から受けた光アナログ信号の光強度に応じて無線周波数の電気信号を生成して、受信部３４へ出力する。
【００３８】
受信部３４は、光電気変換部３８から受けた無線周波数の電気信号を、データ信号へ復調して、制御部３０へ出力する。
【００３９】
合波分波部４２は、光結合部４０および光ファイバ６．１，６．２，・・・，６．ｎと接続され、光結合部４０から受けた光アナログ信号を分配して、光ファイバ６．１，６．２，・・・，６．ｎの各々へ導く。また、合波分波部４２は、光ファイバ６．１，６．２，・・・，６．ｎの各々から受けた光アナログ信号を合成して、光結合部４０へ導く。
【００４０】
アンテナ部８０．１，８０．２，・・・，８０．ｎは、それぞれ光結合部２６と、光電気変換部（Ｏ／Ｅ）２２と、方向性結合部２８と、アンテナ素子２０と、電気光変換部（Ｅ／Ｏ）２４とからなる。
【００４１】
光結合部２６は、それぞれ光ファイバ６．１，６．２，・・・，６．ｎから受けた光アナログ信号を光電気変換部２２へ導き、電気光変換部２４から受けた光アナログ信号を光ファイバ６．１，６．２，・・・，６．ｎへ導く。
【００４２】
光電気変換部２２は、光結合部２６から受けた光アナログ信号の光強度に応じて無線周波数の電気信号を生成し、方向性結合部２８へ出力する。また、光電気変換部２２は、必要に応じて無線周波数の電気信号を所定のレベルまで増幅する。
【００４３】
方向性結合部２８は、光電気変換部２２から受けた無線周波数の電気信号をアンテナ素子２０へ導き、アンテナ素子２０から受けた無線周波数の電気信号を電気光変換部２４へ導く。つまり、方向性結合部は、光電気変換部２２と電気光変換部２４との間のアイソレーションを行う。
【００４４】
アンテナ素子２０は、方向性結合部２８から受けた無線周波数の電気信号を無線信号として通信エリア内に放射し、空間を介して無線タグ１０から無線信号を受信して、無線周波数の電気信号を方向性結合部２８へ出力する。
【００４５】
電気光変換部２４は、方向性結合部２８から受けた無線周波数の電気信号に応じて光強度変調した光アナログ信号を生成して、光結合部２６へ出力する。
【００４６】
なお、光ファイバ６．１，６．２，・・・，６．ｎを無線部１０２からアンテナ部８０．１，８０．２，・・・，８０．ｎへ伝搬する光アナログ信号と、アンテナ部８０．１，８０．２，・・・，８０．ｎから無線部１０２へ伝搬する光アナログ信号とは、伝搬方向が反対であるので、同一波長でも相互に干渉することはない。
【００４７】
しかし、光結合部２６などで接続不整合があると、散乱による相互干渉が生じる場合もあるため、実施の形態１においては、電気光変換部３６は、波長が１．５μｍ帯の光アナログ信号を生成し、電気光変換部２４は、波長が１．３μｍ帯の光アナログ信号を生成する。これにより、散乱が生じても相互干渉を抑制できる。
【００４８】
無線タグ１０は、ＩＣチップ２と、アンテナ部４とからなる。
【００４９】
ＩＣチップ２は、無線タグ１０のそれぞれについてのデータを格納する。
【００５０】
アンテナ部４は、外部から無線信号を受けて電力を発生させ、その電力を受けてＩＣチップ２に格納されているデータに応じた無線信号を応答する。また、外部からのデータ書込みの無線信号を受けて、ＩＣチップ２にデータを格納する。
【００５１】
一例として、アンテナ部８０．１の通信エリア内に無線タグ１０が存在する場合について、無線タグシステム１００の動作を説明する。
【００５２】
制御部３０は、データ読出しの制御指令を送信部３２へ出力する。
【００５３】
送信部３２は、制御部３０からの制御指令に応じて変調した無線周波数の電気信号を生成する。そして、生成された無線周波数の電気信号は、電気光変換部３６で光アナログ信号に変換される。さらに、変換された光アナログ信号は、合波分波部４２で分配され、光ファイバ６．１，６．２，・・・，６．ｎの各々へ導かれる。そして、各々の光アナログ信号は、光ファイバ６．１，６．２，・・・，６．ｎを伝搬してアンテナ部８０．１，８０．２，・・・，８０．ｎへ到達する。
【００５４】
アンテナ部８０．１，８０．２，・・・，８０．ｎにおいて、各々の光アナログ信号は、光電気変換部２２で無線周波数の電気信号に変換される。そして、変換された無線周波数の電気信号は、無線信号としてアンテナ素子２０を介して通信エリア内に放射される。
【００５５】
アンテナ部８０．１の通信エリア内に存在する無線タグ１０は、アンテナ部８０．１のアンテナ素子２０から送信される無線信号を受信して、ＩＣチップ２に格納されている情報に応じた無線信号を応答する。
【００５６】
アンテナ素子２０は、無線タグ１０から無線信号を受信する。そして、アンテナ素子２０で受信された無線信号から生じる無線周波数の電気信号は、電気光変換部２４で光アナログ信号に変換される。さらに、変換された光アナログ信号は、光ファイバ６．１を伝搬して無線部１０２へ到達する。
【００５７】
無線部１０２において、光アナログ信号は、合波分波部４２で他のアンテナ部８０．２，・・・，８０．ｎの各々から送信された光アナログ信号と結合される。そして、結合された光アナログ信号は、光電気変換部３８で無線周波数の電気信号に変換される。さらに、変換された無線周波数の電気信号は、受信部３４でデータ信号に復調されて、制御部３０へ出力される。
【００５８】
以下同様にして、制御部３０は、アンテナ部８０．１の通信エリア内に存在する無線タグ１０に対してデータ読出しおよびデータ書込みを行う。
【００５９】
上述のように、制御部３０からの制御指令を受けて送信部３２で生成された無線周波数の電気信号は、その信号波形に応じた光強度変化をもつ光アナログ信号に変換されて、アンテナ部８０．１，８０．２，・・・，８０．ｎの各々へ分配される。また、アンテナ部８０．１，８０．２，・・・，８０．ｎの各々が受信した無線信号は、光アナログ信号に変換されて、合波分波部４２で結合された後、無線周波数の電気信号に変換される。そのため、送信部３２および受信部３４は、複数のアンテナを等価的に１つのアンテナとして、データ読出しおよびデータ書込みができる。
【００６０】
実施の形態１によれば、１つの無線部に対してｎ個のアンテナ部が接続されるため、従来に比較して、１つの無線部あたりの通信エリアはｎ倍となる。そのため、同一の通信エリアを確保するための無線部は、１／ｎ個で済む。したがって、システムを構成する無線部の数を抑制しつつ、通信エリアを確保できる無線タグシステムを実現できる。
【００６１】
また、実施の形態１によれば、新たな機能を追加するために無線部を更新する場合にも、更新対象の無線部が少なく、さらに、アンテナ部は更新する必要がないので、機能を追加するのに必要なコストを抑制できる。したがって、ニーズに応じて、新たな無線タグシステムのサービスを安価に提供できる。
【００６２】
［実施の形態２］
上述の実施の形態１においては、送信部および受信部はすべてのアンテナ部と接続され、すべてのアンテナ部から同一の無線信号が一斉に送信される場合について説明した。
【００６３】
一方、実施の形態２においては、送信部および受信部と接続されるアンテナ部を選択して、その選択されたアンテナ部の通信エリアの無線タグに対してデータ読出しおよびデータ書込みを行う場合について説明する。
【００６４】
図２は、実施の形態２に従う無線タグシステム２００の概略構成図である。
【００６５】
図２を参照して、無線タグシステム２００は、図１に示す無線タグシステム１００において、制御部３０を制御部７８に代え、合波分波部４２を選択性光結合部７６に代えたものである。
【００６６】
選択性光結合部７６は、光結合部４０および光ファイバ６．１，６．２，・・・，６．ｎと接続され、制御部７８からの通信エリア選択指令に応じて、光結合部４０と光ファイバ６．１，６．２，・・・，６．ｎのいずれかとを光学的に接続する。
【００６７】
制御部７８は、無線信号の送受信を行う通信エリアを一定時間毎に順次切換えて、データ読出しおよびデータ書込みの制御指令を送信部３２へ与え、受信部３４から無線タグ１０が応答したデータ信号を受信する。
【００６８】
まず、制御部７８は、アンテナ部８０．１と光結合部４０とを接続するように通信エリア選択指令を選択性光結合部７６へ出力する。そして、制御部７８は、データ読出しの制御指令を送信部３２へ出力する。
【００６９】
送信部３２は、制御部７８からの制御指令に応じて変調した無線周波数の電気信号を生成する。そして、生成された無線周波数の電気信号は、電気光変換部３６で光アナログ信号に変換される。さらに、変換された光アナログ信号は、選択性光結合部７６で光ファイバ６．１へ導かれ、アンテナ部８０．１へ到達する。
【００７０】
アンテナ部８０．１において、光アナログ信号は、光電気変換部２２で無線周波数の電気信号に変換される。そして、変換された無線周波数の電気信号は、無線信号としてアンテナ素子２０を介してアンテナ部８０．１の通信エリア内に放射される。
【００７１】
アンテナ部８０．１の通信エリア内に無線タグ１０が存在すれば、アンテナ素子２０から送信される無線信号を受信して、ＩＣチップ２に格納されている情報に応じた無線信号を応答する。
【００７２】
アンテナ素子２０は、無線タグ１０から無線信号を受信する。そして、アンテナ素子２０で受信された無線信号から生じる無線周波数の電気信号は、電気光変換部２４で光アナログ信号に変換される。さらに、変換された光アナログ信号は、光ファイバ６．１を伝搬して無線部２０２へ到達する。
【００７３】
無線部２０２において、光アナログ信号は、光電気変換部３８で無線周波数の電気信号に変換される。そして、変換された無線周波数の電気信号は、受信部３４でデータ信号に復調されて、制御部７８へ出力される。
【００７４】
制御部７８は、アンテナ部８０．１の通信エリア内の無線タグ１０からのデータ信号として受信する。
【００７５】
次に、制御部７８は、アンテナ部８０．２と光結合部４０とを接続するように通信エリア選択指令を選択性光結合部７６へ出力する。そして、制御部７８は、データ読出しの制御指令を送信部３２へ出力する。
【００７６】
以下同様にして、制御部７８は、アンテナ部８０．２の通信エリア内に存在する無線タグ１０に対してデータ読出しを行う。
【００７７】
上述のように、制御部７８は、アンテナ部８０．１，８０．２，・・・，８０．ｎを順次選択し、その選択したアンテナ部の通信エリア内の無線タグ１０に対してデータ読出しおよびデータ書込みを行う。
【００７８】
実施の形態２によれば、実施の形態１における効果に加えて、複数のアンテナ部の中から選択されたアンテナ部の通信エリア内に存在する無線タグに対してデータ読出しおよびデータ書込みを行うため、無線タグが存在する通信エリアを検出できる。よって、物流分野などにおいて無線タグの位置情報が必要となる場合においても、システムを構成する無線部の数を抑制しつつ、通信エリアを確保できる無線タグシステムを実現できる。
【００７９】
［実施の形態３］
上述の実施の形態１および２においては、無線部からアンテナ部へ送信される光アナログ信号とアンテナ部から無線部へ送信される光アナログ信号とは、同一の光ファイバを伝搬する場合について説明した。
【００８０】
一方、実施の形態３においては、無線部からアンテナ部へ送信される光アナログ信号とアンテナ部から無線部へ送信される光アナログ信号とは、互いに異なる光ファイバを伝搬する場合について説明する。
【００８１】
図３は、実施の形態３に従う無線タグシステム１１０の概略構成図である。
【００８２】
図３を参照して、無線タグシステム１１０は、無線部１１２と、アンテナ部９４．１，９４．２，・・・，９４．ｎと、光ファイバ６．１ａ，６．２ａ，・・・，６．ｎａ，６．１ｂ，６．２ｂ，・・・，６．ｎｂとからなる。
【００８３】
無線部１１２は、図１に示す無線タグシステム１００の無線部１０２において、光結合部４０と合波分波部４２とを分波部９０と合波部９２とに代えたものである。
【００８４】
分波部９０は、電気光変換部３６から受けた光アナログ信号を分配して、光ファイバ６．１ａ，６．２ａ，・・・，６．ｎａの各々へ導く。
【００８５】
合波部９２は、光ファイバ６．１ｂ，６．２ｂ，・・・，６．ｎｂの各々から受けた光アナログ信号を合成して、光電気変換部３８へ導く。
【００８６】
アンテナ部９４．１，９４．２，・・・，９４．ｎは、それぞれ図１に示す無線タグシステム１００のアンテナ部８０．１において、光結合部２６を削除したものである。
【００８７】
光ファイバ６．１ａ，６．２ａ，・・・，６．ｎａは、分波部９０とアンテナ部８０．１，８０．２，・・・，８０．ｎの光電気変換部２２とを接続する。
【００８８】
光ファイバ６．１ｂ，６．２ｂ，・・・，６．ｎｂは、アンテナ部８０．１，８０．２，・・・，８０．ｎの電気光変換部２４と合波部９２とを接続する。
【００８９】
無線部１１２において、電気光変換部３６で生成された光アナログ信号は、分波部９０で分配され、光ファイバ６．１ａ，６．２ａ，・・・，６．ｎａの各々へ導かれる。そして、各々の光アナログ信号は、光ファイバ６．１ａ，６．２ａ，・・・，６．ｎａを伝搬してアンテナ部９４．１，９４．２，・・・，９４．ｎへ到達する。
【００９０】
また、アンテナ部９４．１，９４．２，・・・，９４．ｎの各々において、電気光変換部２４で生成された光アナログ信号は、光ファイバ６．１ｂ，６．２ｂ，・・・，６．ｎｂを伝搬して無線部１１２へ到達する。そして、各々の光アナログ信号は、合波分波部４２で結合される。
【００９１】
以下、実施の形態１と同様にして、制御部３０は、アンテナ部９４．１，９４．２，・・・，９４．ｎの通信エリア内に存在する無線タグ１０に対してデータ読出しおよびデータ書込みを行う。
【００９２】
なお、実施の形態３では、無線タグシステム１００において、無線部からアンテナ部へ送信される光アナログ信号とアンテナ部から無線部へ送信される光アナログ信号とが互いに異なる光ファイバを伝搬するように変更した場合について説明したが、実施の形態２に従う無線タグシステム２００においても同様に実施できることは言うまでもない。
【００９３】
実施の形態３によれば、実施の形態１における効果に加えて、光結合部が不要となるので、アンテナ部の構成がよりシンプルとなる。よって、より安価な無線タグシステムを実現できる。
【００９４】
［実施の形態４］
上述の実施の形態１〜３においては、１種類の無線タグに対してデータ読出しおよびデータ書込みを行う場合について説明した。
【００９５】
一方、実施の形態４においては、規格の異なる複数の無線タグに対してデータ読出しおよびデータ書込みを行う場合について説明する。
【００９６】
図４は、実施の形態４に従う無線タグシステム３００の概略構成図である。
【００９７】
図４を参照して、無線タグシステム３００は、無線部３０２と、アンテナ部８０と、光ファイバ６とからなる。
【００９８】
無線部３０２は、制御部５８と、送信部４７．１，４７．２と、受信部４８．１，４８．２と、合成部５０と、電気光変換部（Ｅ／Ｏ）３６と、光結合部４０と、光電気変換部（Ｏ／Ｅ）３８とからなる。
【００９９】
送信部４７．１および４７．２と受信部４８．１および４８．２とは、それぞれ無線タグ１２．１および１２．２に対してデータ読出しおよびデータ書込みを行う。
【０１００】
合成部５０は、送信部４７．１および４７．２から受けた無線周波数の電気信号を合成して電気光変換部３６へ出力する。
【０１０１】
電気光変換部３６と、光結合部４０と、光電気変換部３８とについては、上述の実施の形態１と同様であるので、詳細な説明は省略する。
【０１０２】
アンテナ部８０は、上述したアンテナ部８０．１，８０．２，・・・，８０．ｎと同様であり、光ファイバ６は、上述した光ファイバ６．１，６．２，・・・，６．ｎと同様である。
【０１０３】
実施の形態４においては、一例として、無線タグ１２．１および１２．２は、それぞれ２．４ＧＨｚ帯および９００ＭＨｚ帯の無線信号によりデータ読出しおよびデータ書込みを行う。
【０１０４】
無線タグ１２．１および１２．２は、送受信する無線信号の周波数が異なっているので、互いに干渉を生じることはない。したがって、同一のアンテナ部８０から無線タグ１２．１および１２．２に対する２つの無線信号を同時に送信しても干渉は生じない。すなわち、同一の通信エリア内で、無線信号を周波数分割多重させることができる。
【０１０５】
制御部５８は、任意のタイミングで、無線タグ１２．１に対してデータ読出しおよびデータ書込みを行う制御指令を送信部４７．１へ出力し、無線タグ１２．２に対してデータ読出しおよびデータ書込みを行う制御指令を送信部４７．２へ出力する。さらに、制御部５８は、通信エリア内の無線タグ１２．１が応答したデータ信号を受信部４８．１から取得し、通信エリア内の無線タグ１２．２が応答したデータ信号を受信部４８．２から取得する。
【０１０６】
送信部４７．１は、制御部５８から受けた制御指令に応じて変調した無線周波数（２．４ＧＨｚ）の電気信号を生成して合成部５０へ出力する。
【０１０７】
また、送信部４７．２も同様に、制御部５８から受けた制御指令に応じて変調した無線周波数（９００ＭＨｚ）の電気信号を生成して合成部５０へ出力する。
【０１０８】
送信部４７．１および４７．２から出力された無線周波数の電気信号は合成部５０で合成されて、周波数分割多重された無線周波数の電気信号となる。そして、周波数分割多重された無線周波数の電気信号は、電気光変換部３６で光アナログ信号に変換される。さらに、変換された光アナログ信号は、光ファイバ６を伝搬してアンテナ部８０へ到達する。
【０１０９】
アンテナ部８０において、光アナログ信号は、光電気変換部２２で無線周波数の電気信号に変換される。そして、変換された無線周波数の電気信号は、無線信号としてアンテナ素子２０を介して通信エリア内に放射される。このとき、放射される無線信号には、送信部４７．１および４７．２で生成された無線周波数の信号成分が含まれる。
【０１１０】
アンテナ部８０の通信エリア内に無線タグ１２．１が存在すれば、アンテナ素子２０から送信される無線信号に含まれる送信部４７．１で生成された無線周波数の信号成分を受信して、ＩＣチップ２．１に格納されている情報に応じた無線信号を応答する。
【０１１１】
また、アンテナ部８０の通信エリア内に無線タグ１２．２が存在すれば、アンテナ素子２０から送信される無線信号に含まれる送信部４７．２で生成された無線周波数の信号成分を受信して、ＩＣチップ２．２に格納されている情報に応じた無線信号を応答する。
【０１１２】
そして、アンテナ素子２０で受信された無線タグ１２．１および１２．２からの無線信号より生じる無線周波数の電気信号は、電気光変換部２４で光アナログ信号に変換される。さらに、変換された光アナログ信号は、光ファイバ６を伝搬して無線部３０２へ到達する。
【０１１３】
無線部３０２において、光アナログ信号は、光電気変換部３８で無線周波数の電気信号に変換される。そして、変換された無線周波数の電気信号は、分配されて受信部４８．１および４８．２へ導かれる。
【０１１４】
受信部４８．１は、分配された無線周波数の電気信号のうち、無線タグ１２．１の送信する周波数成分（２．４ＧＨｚ帯）の電気信号をデータ信号に復調して制御部５８へ出力する。
【０１１５】
また、受信部４８．２も同様に、分配された無線周波数の電気信号のうち、無線タグ１２．２の送信する周波数成分（９００ＭＨｚ帯）の電気信号をデータ信号に復調して制御部５８へ出力する。
【０１１６】
上述のように、制御部５８は、送受信する無線周波数の電気信号の周波数が互いに異なる複数の種類の無線タグ１２．１および１２．２に対してデータ読出しおよびデータ書込みを互いに独立に行うことができる。
【０１１７】
なお、無線部３０２が１つのアンテナ部８０と接続される構成について説明したが、上述の実施の形態１〜３と同様に、複数のアンテナ部と接続される構成としてもよい。
【０１１８】
実施の形態４によれば、複数の種類の無線タグに対してデータ読出しおよびデータ書込みを行う場合において、アンテナ部を共用できる。したがって、各無線タグについてそれぞれアンテナ部を設置する場合に比較して、システムを構成するアンテナ部の数を抑制しつつ、複数の種類の無線タグに対する通信エリアを確保できる。
【０１１９】
また、実施の形態４によれば、新たな種類の無線タグに対応する場合には、アンテナ部を共用して、送信部および受信部のみを追加するだけで済む。したがって、ニーズに応じて、新たな無線タグシステムのサービスを安価に提供できる。
【０１２０】
［実施の形態５］
上述の実施の形態４においては、送受信する無線信号の周波数帯域が異なる複数の種類の無線タグに対してデータ読出しおよびデータ書込みを行う場合について説明した。
【０１２１】
一方、実施の形態５においては、送受信する無線信号の周波数帯域が近接する複数の種類の無線タグに対してデータ読出しおよびデータ書込みを行う場合について説明について説明する。
【０１２２】
図５は、実施の形態５に従う無線タグシステム４００の概略構成図である。
【０１２３】
図５を参照して、無線タグシステム４００は、無線部４０２と、アンテナ部８０と、光ファイバ６とからなる。
【０１２４】
無線部４０２は、制御部６０と、送信部５４．１，５４．２と、電気光変換部（Ｅ／Ｏ）３６と、光結合部４０と、光電気変換部（Ｏ／Ｅ）３８と、受信部５６．１，５６．２とからなる。
【０１２５】
送信部５４．１および５４．２と受信部５６．１および５６．２とは、それぞれ無線タグ１４．１および１４．２に対してデータ読出しおよびデータ書込みを行う。
【０１２６】
電気光変換部３６と、光結合部４０と、光電気変換部３８とについては、上述の実施の形態１と同様であるので、詳細な説明は省略する。
【０１２７】
アンテナ部８０と、光ファイバ６とは、上述の実施の形態４と同様であるので、詳細な説明は省略する。
【０１２８】
実施の形態５においては、一例として、無線タグ１４．１および１４．２は、いずれも２．４ＧＨｚ帯の無線信号によりデータ読出しおよびデータ書込みを行う。但し、無線タグ１４．１および１４．２は互いに規格が異なるため、無線タグ１４．１は、送信部５４．２から出力された無線信号に対して応答せず、無線タグ１４．２は、送信部５４．１から出力された無線信号に対して応答しない。
【０１２９】
制御部６０は、無線タグ１４．１および１４．２に対してデータ読出しおよびデータ書込みを時間的に切換えて交互に行う。
【０１３０】
まず、制御部６０は、無線タグ１４．１に対してデータ読出しおよびデータ書込みを行うために、データ読出しの制御指令を送信部５４．１へ出力する。
【０１３１】
送信部５４．１は、制御部６０からの制御指令に応じて変調した無線周波数の電気信号を生成する。そして、生成された無線周波数の電気信号は、電気光変換部３６で光アナログ信号に変換される。さらに、変換された光アナログ信号は、光ファイバ６を伝搬してアンテナ部８０へ到達する。
【０１３２】
アンテナ部８０において、光アナログ信号は、光電気変換部２２で無線周波数の電気信号に変換される。そして、変換された無線信号は、無線信号としてアンテナ素子２０を介して通信エリア内に放射される。
【０１３３】
アンテナ部８０の通信エリア内に無線タグ１４．１が存在すれば、アンテナ素子２０から送信される無線信号を受信して、ＩＣチップ２．１に格納されている情報に応じた無線信号を応答する。そして、アンテナ素子２０で受信された無線信号から生じる無線周波数の電気信号は、電気光変換部２４で光アナログ信号に変換される。さらに、変換された光アナログ信号は、光ファイバ６を伝搬して無線部４０２へ到達する。
【０１３４】
一方、同一の通信エリア内に無線タグ１４．２が存在しても、アンテナ素子２０から送信される無線信号に対して何も送信しない。
【０１３５】
無線部４０２において、光アナログ信号は、光電気変換部３８で無線周波数の電気信号に変換される。そして、変換された無線周波数の電気信号は、受信部５６．１でデータ信号に復調される。
【０１３６】
制御部６０は、通信エリア内の無線タグ１４．１のデータ信号として受信する。
【０１３７】
以下同様にして、制御部６０は、アンテナ部８０の通信エリア内に存在する無線タグ１４．１に対してデータ読出しおよびデータ書込みを行う。
【０１３８】
次に、制御部６０は、無線タグ１４．２に対してデータ読出しおよびデータ書込みを行うために、データ読出しの制御指令を送信部５４．２へ出力する。
【０１３９】
送信部５４．２は、制御部６０からの制御指令に応じて変調した無線周波数の電気信号を生成する。そして、生成された無線周波数の電気信号は、電気光変換部３６で光アナログ信号に変換される。さらに、変換された光アナログ信号は、光ファイバ６を伝搬してアンテナ部８０へ到達する。
【０１４０】
以下同様にして、制御部６０は、アンテナ部８０の通信エリア内に存在する無線タグ１４．２に対してデータ読出しおよびデータ書込みを行う。
【０１４１】
上述のように、制御部６０は、送受信する無線信号の周波数帯域が近接する複数の種類の無線タグ１４．１および１４．２が存在する場合に、対象とする無線タグの種類を時間的に切換えてデータ読出しおよびデータ書込みを行う。
【０１４２】
なお、無線部４０２が１つのアンテナ部８０と接続される構成について説明したが、上述の実施の形態１〜３と同様に、複数のアンテナ部と接続される構成としてもよい。
【０１４３】
実施の形態５によれば、実施の形態４における効果に加えて、送受信する無線信号の周波数が近接する、複数の種類の無線タグに対してデータ読出しおよびデータ書込みを行う場合において、それぞれの無線信号の送信タイミングを制御し相互干渉を防止することでアンテナ部を共用できる。したがって、各無線タグについてそれぞれアンテナ部を設置する場合に比較して、システムを構成するアンテナ部の数を抑制しつつ、複数の種類の無線タグに対する通信エリアを確保できる。
【０１４４】
［実施の形態６］
上述の実施の形態５においては、送受信する無線信号の周波数帯域が近接する複数の種類の無線タグが存在する場合にアンテナ部を共用する構成について説明した。
【０１４５】
一方、実施の形態６においては、送受信する無線信号の周波数帯域が近接する無線タグおよび他の無線通信機器が存在する場合にアンテナ部を共用する構成について説明する。
【０１４６】
図６は、実施の形態６に従う無線タグシステム５００の概略構成図である。
【０１４７】
図６を参照して、無線タグシステム５００は、無線部５０２と、切換部７４と、ネットワーク７２と、無線中継部６４と、アンテナ部８０と、光ファイバ６とからなる。
【０１４８】
なお、実施の形態６における無線通信機器は、一例として、無線ＬＡＮ（Local Area Network）によりデータの送受信を行う移動端末１６とする。また、無線タグ１０および移動端末１６は、ともに２．４ＧＨｚ帯の無線信号を送受信する。
【０１４９】
無線部５０２は、制御部７０と、送信部３２と、受信部３４と、電気光変換部（Ｅ／Ｏ）３６と、光電気変換部（Ｏ／Ｅ）３８と、光結合部４０とからなる。
【０１５０】
制御部７０は、切換部７４から送信許可を受けている期間中に、無線タグ１０に対してデータ読出しおよびデータ書込みを制御するための制御指令を送信部３２へ与える。また、制御部７０は、受信部３４から無線タグ１０のデータ信号を取得する。
【０１５１】
送信部３２と、受信部３４と、電気光変換部３６と、光電気変換部３８と、光結合部４０とは、上述の実施の形態１と同様であるので、詳細な説明は省略する。
【０１５２】
切換部７４は、制御部７０および無線ＬＡＮ制御部６２と接続され、互いの無線信号の送信タイミングを制御するために、一定時間毎に順次切換えて送信許可を与える。
【０１５３】
ネットワーク７２は、データ通信を行うための伝送路であり、通信相手の装置とデータ伝送が行われる。
【０１５４】
無線中継部６４は、ネットワーク７２に接続され、アンテナ部８０の通信エリア内に存在する移動端末１６とアンテナ部８０を介してデータの送受信を行う。そして、無線中継部６４は、移動端末１６をネットワーク７２に接続させる。
【０１５５】
無線中継部６４は、無線ＬＡＮ制御部６２と、無線ＬＡＮ送信部６６と、無線ＬＡＮ受信部６８とからなる。
【０１５６】
無線ＬＡＮ制御部６２は、ネットワーク７２を介して通信相手から受けたデータ（デジタル信号）を所定の形式に変更した後、切換部７４から送信許可を受けている期間中に無線ＬＡＮ送信部６６へ出力する。また、無線ＬＡＮ制御部６２は、無線ＬＡＮ受信部６８から受けたデータ信号（デジタル信号）を所定の形式に変更した後、ネットワーク７２を介して通信相手へ送信する。
【０１５７】
無線ＬＡＮ送信部６６は、無線ＬＡＮ制御部６２からデータ信号を受けて無線周波数の電気信号を生成し、無線部５０２へ出力する。
【０１５８】
無線ＬＡＮ受信部６８は、無線部５０２から無線周波数の電気信号を受けてデータ信号に復調し、無線ＬＡＮ制御部６２へ出力する。
【０１５９】
アンテナ部８０と、光ファイバ６とは、上述の実施の形態４と同様であるので、詳細な説明は省略する。
【０１６０】
なお、移動端末１６は、無線ＬＡＮからなる無線通信部を備え、アンテナ部８０の通信エリア内で無線信号によりデータの送受信を行う。また、移動端末１６は、一例として、パーソナルコンピュータ（パソコン）、ＰＤＡ（Personal Digital Assistance；個人用携帯情報端末）、携帯電話、ＰＨＳ（Personal Handyphone System）などからなる。
【０１６１】
切換部７４が、制御部７０へ送信許可を与えると、制御部７０は、通信エリア内の無線タグ１０に対してデータ読出しおよびデータ書込みを行うための制御指令を送信部３２へ与える。
【０１６２】
送信部３２は、制御部７０からの制御指令に応じて変調した無線周波数の電気信号を生成する。そして、生成された無線周波数の電気信号は、電気光変換部３６で光アナログ信号に変換される。さらに、変換された光アナログ信号は、光ファイバ６を伝搬してアンテナ部８０へ到達する。
【０１６３】
アンテナ部８０において、光アナログ信号は、光電気変換部２２で無線周波数の電気信号に変換される。そして、変換された無線周波数の電気信号は、無線信号としてアンテナ素子２０を介して通信エリア内に放射される。
【０１６４】
アンテナ部８０の通信エリア内に無線タグ１０が存在すれば、アンテナ素子２０から送信される無線信号を受信して、ＩＣチップ２に格納されている情報に応じた無線信号を応答する。そして、アンテナ素子２０で受信された無線信号から生じる無線周波数の電気信号は、電気光変換部２４で光アナログ信号に変換される。さらに、変換された光アナログ信号は、光ファイバ６を伝搬して無線部５０２へ到達する。
【０１６５】
一方、同一の通信エリア内に移動端末１６が存在しても、アンテナ素子２０から送信される無線信号に対して何も応答しない。
【０１６６】
無線部５０２において、光アナログ信号は、光電気変換部３８で無線周波数の電気信号に変換される。そして、変換された無線周波数の電気信号は、受信部３４でデータ信号に復調されて、制御部７０へ出力される。
【０１６７】
以下同様に、制御部７０は、無線タグ１０に対してデータ読出しおよびデータ書込みを行う。
【０１６８】
次に、切換部７４が、無線ＬＡＮ制御部６２へ送信許可を与えると、無線ＬＡＮ制御部６２は、通信エリア内の移動端末１６に対してデータを送信するため、無線ＬＡＮ送信部６６へデータ信号を与える。無線ＬＡＮ送信部６６は、無線ＬＡＮ制御部６２からのデータ信号に応じて変調した無線周波数の電気信号を生成する。そして、生成された無線周波数の電気信号は、電気光変換部３６で光アナログ信号に変換される。さらに、変換された光アナログ信号は、光ファイバ６を伝搬してアンテナ部８０へ到達する。
【０１６９】
アンテナ部８０において、光アナログ信号は、光電気変換部２２で無線周波数の電気信号に変換される。そして、変換された無線周波数の電気信号は、無線信号としてアンテナ素子２０を介して通信エリア内に放射される。
【０１７０】
アンテナ部８０の通信エリア内に移動端末１６が存在すれば、アンテナ素子２０から送信される無線信号を受信する。
【０１７１】
一方、同一の通信エリア内に無線タグ１０が存在しても、アンテナ素子２０から送信される無線信号に対して何も送信しない。
【０１７２】
さらに、移動端末１６は、必要に応じてデータを送信する場合には、そのデータに応じた無線信号を送信する。そして、アンテナ素子２０で受信されたその無線信号から生じる無線周波数の電気信号は、電気光変換部２４で光アナログ信号に変換される。さらに、変換された光アナログ信号は、光ファイバ６を伝搬して無線部５０２へ到達する。
【０１７３】
無線部５０２において、光アナログ信号は、光電気変換部３８で無線周波数の電気信号に変換される。そして、変換された無線周波数の電気信号は、無線ＬＡＮ受信部６８でデータ信号に復調されて、無線ＬＡＮ制御部６２へ出力される。
【０１７４】
以下同様に、無線ＬＡＮ制御部６２は、移動端末１６とデータの送受信を行う。
【０１７５】
上述のように、切換部７４は、制御部７０または無線ＬＡＮ制御部６２のいずれか一方にのみ送信許可を与えるので、送信部３２および無線ＬＡＮ送信部６６が出力した無線信号が相互に干渉することはない。
【０１７６】
実施の形態６によれば、送受信する無線信号の周波数が近接する、無線タグを含めた複数の無線通信機器に対するサービスを提供する場合にも、アンテナ部を共用することができる。さらに、それぞれの無線信号の送信タイミングを統括制御できるので、相互干渉によるデータ読出しおよびデータ書込みの失敗を防止できる。そのため、新たな規格の無線サービスを提供する場合などにも、既存のアンテナ部を流用して新たなサービスを安価に提供できる。
【０１７７】
［実施の形態７］
上述の実施の形態４〜６においては、無線部からアンテナ部へ送信される光アナログ信号とアンテナ部から無線部へ送信される光アナログ信号とは、同一の光ファイバを伝搬する場合について説明した。
【０１７８】
一方、実施の形態７においては、無線部からアンテナ部へ送信される光アナログ信号とアンテナ部から無線部へ送信される光アナログ信号とは、互いに異なる光ファイバを伝搬する場合について説明する。
【０１７９】
図７は、実施の形態７に従う無線タグシステム３１０の概略構成図である。
【０１８０】
図７を参照して、無線タグシステム３１０は、無線部３１２と、アンテナ部９４と、光ファイバ６．ａ，６．ｂとからなる。
【０１８１】
無線部３１２は、図４に示す無線タグシステム３００の無線部３０２において、光結合部４０を削除したものである。
【０１８２】
アンテナ部９４は、上述したアンテナ部９４．１，９４．２，・・・，９４．ｎと同様である。
【０１８３】
光ファイバ６．ａは、無線部３１２の電気光変換部３６とアンテナ部９４の光電気変換部２２とを接続する。
【０１８４】
光ファイバ６．ｂは、アンテナ部９４の電気光変換部２４と無線部３１２の光電気変換部３８とを接続する。
【０１８５】
無線部３１２において、電気光変換部３６で生成された光アナログ信号は、光ファイバ６．ａを伝搬してアンテナ部９４へ到達する。
【０１８６】
また、アンテナ部９４において、電気光変換部２４で生成された光アナログ信号は、光ファイバ６．ｂを伝搬して無線部３１２へ到達する。
【０１８７】
以下、実施の形態４と同様にして、制御部５８は、アンテナ部９４の通信エリア内に存在する無線タグ１２．１および１２．２に対してデータ読出しおよびデータ書込みを行う。
【０１８８】
なお、実施の形態７では、実施の形態４に従う無線タグシステム３００において、無線部からアンテナ部へ送信される光アナログ信号とアンテナ部から無線部へ送信される光アナログ信号とが互いに異なる光ファイバを伝搬するように変更した場合について説明したが、実施の形態５および６に従う無線タグシステム４００および５００においても同様に実施できることは言うまでもない。
【０１８９】
実施の形態７によれば、実施の形態４における効果に加えて、光結合部が不要となるので、アンテナ部の構成がよりシンプルとなる。よって、より安価な無線タグシステムを実現できる。
【０１９０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１９１】
【図１】実施の形態１に従う無線タグシステムの概略構成図である。
【図２】実施の形態２に従う無線タグシステムの概略構成図である。
【図３】実施の形態３に従う無線タグシステムの概略構成図である。
【図４】実施の形態４に従う無線タグシステムの概略構成図である。
【図５】実施の形態５に従う無線タグシステムの概略構成図である。
【図６】実施の形態６に従う無線タグシステムの概略構成図である。
【図７】実施の形態７に従う無線タグシステムの概略構成図である。
【図８】従来の無線タグシステムの一般的な配置を示す図である。
【符号の説明】
【０１９２】
２，２．１，２．２  ＩＣチップ、４，４．１，４．２，８０，８０．１，８０．２，・・・，８０．ｎ，９４，９４．１，９４．２，・・・，９４．ｎ  アンテナ部、６，６．１，６．２，・・・，６．ｎ，６．ａ，６．１ａ，６．２ａ，・・・，６．ｎａ，６．ｂ，６．１ｂ，６．２ｂ，・・・，６．ｎｂ  光ファイバ、１０，１２．１，１２．２，１４．１，１４．２  無線タグ、１６  移動端末、２０  アンテナ素子、２２，３８  光電気変換部（Ｏ／Ｅ）、２４，３６  電気光変換部（Ｅ／Ｏ）、２６，４０  光結合部、２８  方向性結合部、３０，５８，６０，７０，７８  制御部、３２，４７．１，４７．２，５４．１，５４．２  送信部、３４，４８．１，４８．２，５６．１，５６．２  受信部、４２  合波分波部、５０  合成部、６２  無線ＬＡＮ制御部、６４  無線中継部、６６  無線ＬＡＮ送信部、６８  無線ＬＡＮ受信部、７２  ネットワーク、７４  切換部、７６  選択性光結合部、８２  リーダライタ、９０  分波部、９２  合波部、１００，１１０，２００，３００，３１０，４００，５００，６００  無線タグシステム、１０２，１１２，２０２，３０２，３１２，４０２，５０２  無線部。
【図１】
2006115041.tif 000003
【図２】
2006115041.tif 000004
【図３】
2006115041.tif 000005
【図４】
2006115041.tif 000006
【図５】
2006115041.tif 000007
【図６】
2006115041.tif 000008
【図７】
2006115041.tif 000009
【図８】
2006115041.tif 000010